(57)【要約】本発明は、プラスチックでできた外部キャップ（１０）と、容器（２）のネックに取り付けるために内部に固定された固定インサート（２０）とを有するストッパーデバイス（１）に関する。キャップのスリーブ（１２）は、キャップの軸（Ｘ−Ｘ）に沿って連続してヘッド（１３）とスカート（１４）とを有し、インサートはこのヘッドに導入されて外れないように固定され、スカートはインサートから軸方向に延びている。本発明により、このデバイスを有する容器（２）のネックの汚れは制限され、その外観は改善される。これは、特にネックのベースでは、このデバイスがネックに取り付けられる前、スカート（１４）はヘッドから延びるにつれてスリーブの軸に向かって収束する円錐台部（１４２）を基本的に形成し、この円錐台部はヘッド（１３）に対向する円錐台部の端（１４４）において、このデバイスをネックに取り付けることから生じるスリーブ（１２）の弾性変形の影響により、容器のネックに接触する内面（１４４Ｂ）を形成するからである。
2008540271.tif 000002
【特許請求の範囲】
【請求項１】
容器（３）のネック（２）を閉じるための閉止デバイス（１）であって、デバイス（１）は、
第一に、前記ネックの軸とほぼ一直線上に設置するために長手軸方向の軸（Ｘ−Ｘ）を有するチューブ状のスリーブ（１２）を備えるプラスチック製の外側のカプセル（１０）と、
第二に、前記ネックに着脱可能に取り付けられるように適応された内側のインサート（２０）とを有し、
前記スリーブ（１２）は、前記軸（Ｘ−Ｘ）に沿って連続して、キャップ（１３）と、端スカート（１４）とを有し、
前記キャップ内には、前記インサートが挿入されて、取り外せないように固定保持されるように適応され、
端スカートは、前記インサートを超えて軸方向に延びており、
前記閉止デバイス（１）が前記容器（３）の前記ネック（２）に取り付けられる前においては、前記スカート（１４）は、前記キャップ（１３）から離れるにつれて前記スリーブ（１２）の前記軸（Ｘ−Ｘ）に向かって収束する円錐台部（１４２）を基本的に形成し、
前記円錐台部（１４２）は、前記キャップ（１３）から離れた端（１４４）に内面（１４４Ｂ）を有し、内面は前記ネックに取り付けられる前記デバイスから生ずる前記スリーブ（１２）の弾性変形の作用により、前記容器（３）の前記ネック（２）を支持するように適応されていることを特徴とするデバイス。
【請求項２】
前記閉止デバイス（１）が前記容器（３）の前記ネック（２）に取り付けられる前には、前記支持面（１４４Ｂ）と同じ高さ位置における前記スカート（１４）の内径及び外径（ｄ144及びＤ144）は、それぞれ、前記キャップ（１３）へ向かっている前記スカートの部分（１４３）の内径（ｄ141）及び外径よりも短いことを特徴とする請求項１に記載のデバイス。
【請求項３】
前記円錐台部（１４２）の壁厚は、その長さに沿ってほぼ一定であることを特徴とする請求項１或いは２に記載のデバイス。
【請求項４】
前記スカート（１４）には、前記閉止デバイス（１）が取り付けられた前記容器（３）を初めて開封したときに切断されるように設計された周辺脆弱領域（１４６）が設けられており、
前記円錐台部（１４２）には、その主要部分に位置する凸部（１４５）と、前記キャップに向かっている端部（１４３）に位置する内部手段（１４３Ｂ、１４７）との両方が設けられ、
凸部（１４５）は、前記脆弱領域が切断されたときに、前記ネックを覆う前記スカートの部分が外れないように適応され、
内部手段（１４３Ｂ、１４７）は、前記スリーブ（１２）を前記容器の前記ネック（２）の回りに配置するためのものであり、この内部手段は、軸方向に沿って、前記脆弱領域と、前記円錐台部が前記ネックに押圧される場所である面（１４４Ｂ）との間に位置することを特徴とする請求項１から３のいずれか一項に記載のデバイス。
【請求項５】
前記配置する手段は、少なくとも一つのビード（１４７）を有し、そのビードは前記スカート（１４）の内縁の周囲に延びるとともに、前記容器（３）のネック（２）に対して漏れ止め状態で支持するように適応されていることを特徴とする請求項４に記載のデバイス。
【請求項６】
前記密閉ビード（１４７）は前記脆弱領域（１４６）の軸方向の近傍に配置されていることを特徴とする請求項５に記載のデバイス。
【請求項７】
請求項１から６のいずれか一項に記載の閉止デバイス（１）によって閉じられるように適応されたネック（２）を含む容器（３）。
【請求項８】
ガラスでできていることを特徴とする請求項７に記載の容器。
【請求項９】
請求項１から６のいずれか一項に記載の閉じたデバイス（１）によって容器（３）のネック（２）を閉じる方法であって、
前記デバイスが前記容器の前記ネックに取り付けられている間、前記スリーブが前記容器の前記ネックに対して、前記キャップ（１３）から離れた前記円錐台部（１４２）の端（１４４）の内面（１４４Ｂ）を押圧することによって、前記スリーブ（１２）が弾性的に変形されることを特徴とする方法。
【請求項１０】
容器（３）のネック（２）を閉じるための閉止デバイス（１）の製造方法であって、
第一に、前記ネック（２）の軸とほぼ一直線に置くための長手方向の軸（Ｘ−Ｘ）を有するチューブ状のスリーブ（１２）を有するプラスチック製の外側カプセル（１０）と、第二に、前記ネック（２）の回りに着脱可能に取り付けられるように適応された内部インサート（２０）とを準備する段階を有し、
前記スリーブは、その軸に沿って連続して、前記インサートを収容するためのキャップ（１３）と端スカート（１４）とを有し、さらに、
前記インサート（２０）を前記スリーブ（１２）のキャップ（１３）に挿入して取り外せないように固定し、前記スカート（１４）が前記インサートを超えて軸方向に延びた状態にする段階を有し、
前記カプセル（１０）は、プラスチック材を型成形することによって与えられ、前記キャップ（１３）とそのスリーブ（１２）の前記スカート（１４）との両方を形成するように設計され、前記スカートは基本的に円錐台部（１４２）の形を有し、円錐台部は前記キャップから離れるにつれて中心軸（Ｘ−Ｘ）へ向かって収束し、前記キャップから離れた端（１４４）で内面（１４４Ｂ）を与え、この内面は、前記ネックに取り付けられる前記デバイス（１）から生じる前記スリーブの弾性変形の作用により、前記容器（３）のネック（２）を押圧するように適応されていることを特徴とする製造方法。
【発明の詳細な説明】
【技術分野】
【０００１】
本発明は、容器のネックを閉じるための閉止デバイス、そのようなデバイスが取り付けられた容器、そのようなデバイスによって容器を閉じる方法及びそのようなデバイスの製造方法に関する。本発明は、特にアルコール飲料、特にワインを含むガラス容器に関するが、専らそれだけに関するものではない。
【０００２】
従来、ワインボトルは栓によって閉じられる。その栓はコルクでできており、栓はボトルのネックに押し込まれ、その後金属カバー、一般的にはネックの外形に密着して適合するアルミニウムシートで覆われる。
【０００３】
ガラスボトルをより開けやすくするため、とりわけ再び閉じやすくするために、コルクに代えて、ネックにねじ入れた後ねじって外すのに一般的に適している、取り外し可能な金属製の閉止部材にする提案がこれまでなされてきている。密閉は、密閉片によって、実際には閉止部材の内部でその端の壁の近くに保持されるディスクによって得られる。そのような金属製の閉止部材は、しばしばねじ蓋及びカラーで構成される。このカラーはボトルのネックのベースの回りに取り付けられ、ボトルを初めて空ける前には、蓋をカラーに結合する破断可能な金属製ブリッジを伴っている。カラーはネックのベースにとどまり、その寸法及び／又は色合いによってボトルのネックに魅力的な外観を与えることができる。しかしながら、そのような金属製の閉止部材は、取扱中に切傷を負う危険のあるユーザにとっては割と危険である。
【０００４】
フランス国特許出願公開第１３７２６７１号（ＦＲ−Ａ−１３７２６７１）、欧州特許出願公開第０５９２７２１号（ＥＰ−Ａ−０５９２７２１）、フランス国特許出願公開第２２６７９５２号（ＦＲ−Ａ−２２６７９５２）及び国際公開第００／０７８９８号（ＷＯ−Ａ−００／０７８９８）では、比較的可とう性のあるキャップ状のプラスチック材でできた閉止部材の提案がなされている。この蓋は、カプセルとして共通に参照されており、密閉ガスケットがボトルのネック内に受容されるように、キャップの端に密閉ガスケットが収容される。一方、カプセルのスカートはネックの外側を覆う。原理的には、スカートの可とう性によって、カプセルはネックの外側の表面に密着する。しかし、実際には、そのようなカプセルのスカートは円筒であるように設計されるので、ネックが閉じるのに複雑な形状であるとき、或いはある所定の形状ではそのようなネックに外形上ばらつきがあるとき、ネックの回りでぴったりはまるカプセルの効果は得られない。さらに、開封時に破れるそのような種類の可とう性カプセルは、再び閉じるためにネックの回りに随意に元に戻すのには適していない。
【０００５】
国際公開第００／６３０８９号（ＷＯ−Ａ−００／６３０８９）では、三個の主部品、すなわち外側カプセルと、取り外せない方法でカプセルの内側に固定された内側インサートと、インサートで保持される密閉ディスクとを有する閉止デバイスを提供している。インサートは、デバイスをねじって容器のネックに入れたり外したりできるように設計され、それによってネックを随意に開けたり閉じたりできる。一方、外側のカプセルは、インサートを完全に隠すことによって、デバイスに感じの良い外観を提供するために特に設けられている。このように、国際公開第００／６３０８９号（ＷＯ−Ａ−００／６３０８９）では、上述の潜在的な傷の問題に対して、プラスチック材或いは金属製であるかにかかわらず、剛性のカプセルを想定している。どちらにしても、カプセルは、インサートを収容するためのキャップの構成要素である円形ベースのチューブ状のスリーブと、インサートを超えて容器のネックのベースに向かって軸方向に延びる端のカラーとを有している。しかしながら、それらのデバイスのカラーの外観はあまり見栄えが良くない。これは、カラーが、多様な形状を表すベースを有する容器のネックに適応するように設計されているからであり、或いは与えられたいくつかの形状に対して、その外形に相対的に大きなばらつきを示すベースを有する容器のネックに適応するように設計されているからである。実際、これらのデバイスのカラーは、一般的には、軸方向の寸法が短い円筒であり、剛性の外側カプセルとガラス容器のネックとが接触しないように、及びそれらの間で引っかからないようになっている。この結果生じる閉止デバイスとネックのベースとの間のギャップによって、汚れ即ち細菌が外側カプセルのカラーにたまる危険が生じ、これに対応して健康及び外観の点で不利な結果をもたらしている。
【特許文献１】フランス国特許出願公開第１３７２６７１号明細書
【特許文献２】欧州特許出願公開第０５９２７２１号明細書
【特許文献３】フランス国特許出願公開第２２６７９５２号明細書
【特許文献４】国際公開第００／０７８９８号パンフレット
【特許文献５】国際公開第００／６３０８９号パンフレット
【発明の開示】
【０００６】
本発明の目的は、内側のインサートと外側のカプセルとを有し、外観が改善された閉止デバイスを提供することである。内側のインサートは、容器のネックの回りで着脱可能に締め付けるためのものである。外側のカプセルは、プラスチック製であり、特に閉じるための容器のネックのベースで、カプセルの内側が汚れる危険を制限するものである。そして外観は、デバイスに取り付く容器のネックの寸法が形状に関してある程度のばらつきを有するときでも、特に上述の金属製の閉止部材を模倣しようと努めることによって改善される。
【０００７】
この目的を達成するために、本発明は、請求項１に明示されるように、容器のネックを閉じるための閉止デバイスを提供する。
【０００８】
本発明の閉止デバイスは、その長さの主要部分にわたって容器のネックを覆うことができる。ネックの自由端部はカプセルのスリーブのキャップで覆われ、カプセルはネックの端部分に着脱可能に結合されるインサートを、取り外せないような方法で収容している。一方、ネックの反対の端部分、すなわち容器の主要本体に結合されているそのベースは、スカートで覆われる。キャップから離れた、ネックと、スカートによって形成された円錐台部の端との間において、半径方向のすき間はないが、これは、この円錐の端の内面がネックを押圧するからである。こうして、どんな汚れも、ネックとカプセルの間で、円錐台部のこの端から侵入し得ない。さらに、スカートの外観は、上述したような金属製閉止部材の金属カラーの外観と類似している。スカートに、ネックの寸法にばらつきを与えることを可能にする弾力性を提供することに加え、外側のカプセルをプラスチック材で作るという事実によって、ユーザが切り傷を負う、つまりもっと一般的には、本発明の閉止デバイスを扱っている間に傷を負う危険を制限することができる。さらに、ガラスでできた容器では、容器のネックの回りのプラスチック材の存在によって、容器を構成するガラスのリサイクリングにいかなる重大な障害をもたらさない。これは、金属を含む閉止部材と違って、プラスチック材は、ガラスのリサイクリング中に溶融ガラスと問題なく混合され得るからである。
【０００９】
このデバイスの他の特徴及び利点は、単独或いは技術的に実現可能な組み合わせを考慮に入れ、独立の請求項２から６で述べられている。
【００１０】
本発明は、上述の閉止デバイスによって閉じられるように適応されたネックを含む容器も提供する。容器はガラス製が有利である。
【００１１】
本発明は、上述のデバイスによって容器を閉じるための、請求項９にしたがった方法も提供する。
【００１２】
本発明は、容器のネックを閉じるための閉止デバイスを製造するための、請求項１０で規定する方法も提供する。
【００１３】
本発明の方法は、以下の二点を可能にする。第一は、プラスチック材の外側カプセルを迅速に得ることである。第二は、閉止デバイスを容易に組み立てることであり、その後デバイスは、ごく簡単に、例えば回して締め付けることにより、容器のネックの回りに取り外し可能に取り付けられるよう、操作される。本発明の製造方法の様々な工程は、金型の観点及びデバイスの複数の要素を組み立てる観点の双方において、ほぼ軸方向の機構部分を使用して組み立てられるのに適しているので、実際、この方法は、性能の品質を低下させることなく自動化されるのに適している。
【００１４】
本発明は、例によって純粋に与えられて図の参照とともになされる次の記載を読むことで、より良く理解される。
【００１５】
図１及び２では、アルコール飲料、特にワインが入っている容器３、例えばガラス等で形成されたのボトルのネック２に、着脱可能にネジ係合される閉止デバイス１が示されている。ネック２は、一般に、長手方向の軸Ｘ−Ｘに中心を有するチューブ状の形状を示す。
【００１６】
便宜上、以下の記述において、用語“上側”及び“高い”は、軸Ｘ−Ｘにほぼ平行でネック２から遠ざかる方向、すなわち図１及び２の上端部分に向かう方向に対応し、一方、用語“下側”及び“低い”は反対方向に対応する、という方向性を想定している。
【００１７】
ネック２の自由端には縁４が形成され、その縁から容器に入っている液体が注がれる。ネック２の外面には、上部から下部に向かって連続して、螺旋状のネジ５及びリング６が設けられており、この両者とも半径方向の外側に向かって突き出ている。リングの底端と、延長部７を形成するネック２の残りとの間の遷移部には、軸Ｘ−Ｘと垂直な平面に対して少し傾斜した、横方向の段部８が形成される。延長部７の外面７Ａは、軸Ｘ−Ｘに関してほぼ円錐台形であり、段部８に向かって収束する。
【００１８】
閉止デバイス１は、基本的に三つの異なる部品、すなわち、カプセル１０と、インサート２０と、密閉ディスク３０とから成っている。これら三つの部品は同軸上に相互に重ねて組み立てられ、それからネック２に取り付けられる。組み立てられた状態では、カプセル１０及びインサート２０は、以下に説明されるように、一体の閉止部材４０を形成する。
【００１９】
カプセル１０及びインサート２０は共に、長手方向の軸に対して形状がほぼチューブ状であり、その軸は、図２に示されるように、デバイス１が組み立てられてネック２に取り付けられたとき、軸Ｘ−Ｘとほぼ一致する。カプセル及びインサートは共に、底端で開いており、上端ではそれぞれ端壁１１及び２１によって閉じられている。カプセル及びインサートは、それぞれ、軸Ｘ−Ｘを中心とするチューブ状スリーブ１２及びチューブ状スカート２２を有している。それらスリーブ及びスカートは端壁１１及び２１の周縁から下部へ向かって軸方向に延びている。
【００２０】
インサート２０は、軸方向にも軸Ｘ−Ｘに対する回転方向にも動かない状態でカプセルの中に固定保持されるようにカプセル１０の内部に挿入され、そのようにして閉止部材４０を形成するように適合されている。この目的のために、カプセル１０のスリーブ１２の上端部は、インサート２０を収容すると共に、インサートを固定保持するためのキャップ１３を形成している。そのキャップの長さ、すなわち軸Ｘ−Ｘに沿った寸法は、インサート２０の長さとほぼ等しい。スリーブ１２の残り、すなわち、インサートがキャップ１３に収容されたとき、インサート２０の底端の軸位置の下に位置するスリーブの部分は、以下に詳細に記述されるように、スカート１４を形成する。カプセル１０は、単一の部品を形成する。
【００２１】
インサート２０がキャップ１３内で回転して動かないようにするために、インサートのスカート２２の外面２２Ａには、複数の長手方向のスプライン２２１が設けられている。スプラインは放射状に外側に向かって延びるとともにインサートの周縁の周りに配置される。これらのスプラインは、キャップ１３の内面１３Ｂの長手方向の溝と相補的に係合するように寸法設計される。
【００２２】
インサート２０は、上方向にはカプセル１０の端壁１１により、下方向には、スカート１４の上端部１４１により、キャップ１３内部で軸方向に動くことが防止される。スカート１４の上端部１４１はキャップ１３の底端に対して内側に向いた段部を有する。この段部は、インサートのスカート２２の厚みに対して大きな半径方向の寸法を必ずしも示す必要はない。ただし、インサートが取り付けられたときに十分な強度を伴ってカプセル１０のキャップ内部でインサートが半径方向に引っかかることが条件である。この点において、図示されない変形では、この段部は削除されてもよい。
【００２３】
インサート２０のスカート２２は、その底部にネジ２２２を備える内面２２Ｂも形成する。このネジは、半径方向に内側に延びるとともにネック２の外側のネジ５にほぼ相補的であり、そのため、閉止部材４０、すなわち一緒に組み立てられたときのインサート及びカプセル１０は、回してネック２に付けたり外したりするのに適している。ユーザがこの閉止部材をより容易に握ることができるように、キャップ１３の外面１３Ａは長手方向の溝を有している。
【００２４】
インサート２０のスカート２２の内面２２Ｂは、その上部において、半径方向に内側に突き出ている三つのリップが備わっている。これらのリップは、スカートがインサートの端壁２１と結合する場所である領域２２４間のスカート２２の周縁周囲に配置される。これらの結合領域２２４の一つが図２の左側部に断面で示されている。一方、図2の右側部は、リップ２２に広がるスカート２２の対応する領域が開いていることを示している。それぞれのリップ２２３は、このように、ほぼ平面状の上面２２５を限定する。三つの面２２５は、軸Ｘ−Ｘに垂直な同一平面にほぼ位置し、そのため、ディスク３０に対する下方の軸方向の支持を構成する。
【００２５】
スカート１４は、その上端部１４１から軸方向に下方に延び、軸Ｘ−Ｘに中心を有するとともに下方に向かって収束する円錐台部１４２を形成する。
【００２６】
円錐台部１４２の上端部１４３、すなわち、この円錐台部の二つの軸方向の端部の最も幅の広い張り出し部は、一般に円筒状であるとともに、ネック２のリング６の最大外径とほぼ等しい内径ｄ143を有する形状を示す。その結果、閉止デバイス１がネック２に取り付けられると、この張り出した端部１４３の内面１４３Ｂは、図２の右側部で示されるように、リング６の最大直径の領域と接触するように押圧される。
【００２７】
円錐台部１４２の底端１４４、すなわち、この円錐台部の二つの軸方向の端のもっとも先細の端では、スカートの内径ｄ144は、デバイス１がネック２に取り付けられたときに、端１４４が広がるべき場所である軸方向位置における延長部７の領域の外径よりも小さい。その結果、デバイスが取り付けられている間、端１４４の内径は、スリーブ１２を弾性的に変形させることによって大きくなり、ネック２の延長部７の外面７Ａの関連する領域の直径とほぼ等しい値ｄ'144を取る。円錐台部１４２の壁の厚さはその長さに沿ってほぼ一定なので、端１４４の外径は、デバイス１がネック２にまだ取り付けられていないときの値Ｄ144から、デバイス１が所定の位置に取り付けられたときのより大きな値Ｄ'144まで及ぶ。円錐台部１４２の端１４４の断面における対応する増加は、この円錐台部の円錐度の減少、すなわち、頂角の減少をもたらす。言い換えると、デバイス１がネック２に取り付けられると、スカート１４の部分１４２の円錐台部形状は、環状に円筒形状に向かう傾向を示す。ただし、スカートの寸法とネック２の寸法とに依存して、必ずしも円筒形状になることはない。その結果、円錐台部１４２の端１４４の内面１４４Ｂは、ネック２の部分７の外面７Ａの対応する領域に対して、半径方向に弾性的に押圧され、これらの面間ですき間を生じさせない。
【００２８】
実際、デバイス１がネック２に取り付けられている間、円錐台部１４２は外側に向かって変形し、その上端部１４３がネック２のリング６と接触した状態になり、その結果、上端部１４３は円錐台部１４２の底部に対してある種のヒンジを形成し、円錐台部は、矢印Ｆによって示されるように、このヒンジに対して上下動する。円錐台部の変形された形態は、図2の右側部に実線で描かれており、一方その初期位置は、その中の破線で描かれている。
【００２９】
さらに、端壁１１に接続されるとともにデバイス１が組み立てられた状態のときにインサート２０が固定保持される場所であるキャップ１３とは異なり、スカート１４はある程度の可とう性を示し、上述の変形を可能にすると同時に、円錐台部１４２を初期状態まで戻す傾向を示すある程度の構造的な弾力性を円錐台部に与える。その結果、面１４４Ｂは、ネック２の部分７の外面７Ａに対して押圧保持される。
【００３０】
スカート１４の円錐台部１４２は、その主要部に、その内面から突き出る凸部１４５を備えている。この凸部は選択的にリングの内縁の周りで不連続であってもよい。デバイス１がネック２に取り付けられる前は、凸部は図2の左側部に示されるように、軸Ｘ−Ｘに向かって下方に延びているが、一旦デバイス１が取り付けられると、凸部は図2の右側部に示されるように、軸に向かって上方に延びる。一旦デバイス１がネック２に取り付けられると、凸部１４５の自由端は段部８の直下に位置付けられる。その結果、閉止部材４０が初めて上方に回して外されるとき、凸部が段部に対抗するようになり、このようにしてスカート１４の底部が軸方向に動くことを防止する。一方、スカートの残りは、キャップ１３及び端壁１１と共に上方に取り外される。この目的のために、図１及び２で破線によって表された脆弱ライン１４６が、軸方向に沿って凸部１４５の上方のスカート１４の主要部に設けられている。示された例では、脆弱ライン１４６は、端部１４１が円錐台部１４２と結合する領域の軸方向に沿った上方に位置付けられる。この脆弱ラインは、破断可能なブリッジ、例えばスカートの壁を貫通して形成された周方向の複数の切れ目又は刻み目によって構成される。
【００３１】
円錐台部１４２の上端部１４３の内部には環状のビード１４７が設けられている。このビードは、軸方向に脆弱ライン１４６に並んで設けられ、この端部１４３の内縁全周に沿って延びている。このビードは、ネック２のリング６の外面に対して耐漏状態で位置し、縁４から落下しネジ５に沿って漏れる液体の滴りが、ネックの部分７と脆弱ライン１４６が切断されたときに後に残るスカート１４の部分との間に浸潤することを防止する。このビード１４７が脆弱ラインの直近に存在することによって、円錐台部１４２の端部１４３とリング６との間に半径方向のすき間が残ることが回避され、開封後のネック２に残ったデバイス１の部分の外観を損なわない。
【００３２】
カプセル１０は、ポリプロピレン或いはポリエチレンのような半剛性のプラスチック材でできている。プラスチック材は、特に外観の理由からポリエチレンの方が好適である。カプセルはプラスチック材を型成形することによって得られ、キャップ１３と特にその円錐台部１４２を含むスカート１４とを同時に構成するように設計されている。カプセルを型から外すには、円錐台部の切除された内面を考慮して、円錐台部１４２が好適に寸法設計される場合に、カプセル１０が型から外されるために端壁１１の近傍でのみ有利に操作されるようにする必要がある。
【００３３】
カプセルを型からより容易に外すために、型から抜くときには、凸部１４５は図２の左側で示される形状に延びていること、すなわちその自由端が下方に向いているということに注意されなければならない。
【００３４】
以下、閉止デバイス１の組み立て方法及びネック２への取り付け方法を記載する。
【００３５】
初めに、カプセル１０が、上述と同様に、型から抜き取られた状態で、インサート２０及び密閉ディスク３０と共に得られる。
【００３６】
第一のステップでは、密閉ディスク３０が多少の変形を伴ってインサート２０内に配置される。それによって、ディスクがリップ２２３の面２２５と端壁２１との間に同軸上に配置される。その後、ディスクはそのリップ上に載るか、或いは接着材の膜がディスクと端壁との間に介在した場合は端壁２１に接着される。いずれにせよ、縁２２３は、その後ディスク３０がインサート２０の内側から外れることを防止している。
【００３７】
ディスク２０をインサート２０の内部に挿入する前又は後で、インサートは、カプセルの開放された底端から力を受けて軸方向に挿入されることによって、カプセル１０のキャップ１３の内部に配置される。この操作を実行する作業は、有利なことに凸部１４５を上方に折り曲げ、その結果、図2の右側部に示されるように凸部の形状を上に持ち上げる。
【００３８】
インサート２０をこのようにカプセル１０のキャップ１３の内部に固定保持することによって、閉止部材４０は形成される。閉止部材４０はその後ネック２にねじ込まれることによってネックに取り付けられる。ねじ込みは、最初に凸部１４５がネックの段部８の下を通過し、続いて密閉ディスク３０が縁４とインサート２０の端壁２１との間で軸方向に押し付けられ、ディスクの底面が有利なことに、縁とほぼ相補的な凹んだ環状の溝３１を形成するまで行われる。閉止部材がネック２に取り付けられるとき、スカートの部分１４３の内面１４３Ｂは、ネックの回りにスリーブ１２を配置する働きをする相補的形状によって、特にビード１４７を介して、リング６と係合する。デバイス１は、その結果、図２の右側部に示される配置状態となる。
【００３９】
この配置では、スカート１４はネック２のベースを覆い、ネックにぴったり取り付けられる。これは、スカートの底端１４４がネックの部分７を押し付けた状態で、スカートの底の部分１４３がリング６と接触するからである。
【００４０】
当然ながら、上述の閉止デバイスの様々な配置や変形が想定され得る。
【００４１】
以下が例である。
・スカート１４の端１４４の支持領域と同じ高さ位置においては、容器３のネック２は、必ずしも、型から引き抜かれるときのスカート１４の形状に対応する円錐形状を有する外面を示す必要はない。ネックは円筒状の外面を有することができるし、或いは、スカートの頂角がネックの延長部分の頂角よりも大きくて、閉止デバイスがネックに取り付けられたときに、スカートの端１４４が十分に変形してネックを押圧できる場合には、縁４から遠ざかるにつれて軸Ｘ−Ｘへ向かって収束する円錐台形の外面を有することさえできる。
・一体成形品として作られる密閉ディスク３０を備える代わりに、弾力性のある最上層と共に少なくとも一つの底部密閉層を有するサンドイッチ構造を備えることが可能である。
・密閉ディスク３０は、縁４の内径とほぼ等しいか或いはより小さい内径の密閉ワッシャーに置き換えることができる。
・相補形状によって、カプセル１０のキャップ１３に対して、インサート２０を固定保持するための上記方法の代わりに、或いはこれに付加して、インサートは加熱密閉によって、特に、超音波を与えることによって、或いは接着剤によって、或いは同様な方法によって、カプセル１０の内部に外れないように取り付けることができ、及び／又は、
・閉止デバイス１が取り付けられる場所である容器のネックは、プラスチック材で作ることができる。
【図面の簡単な説明】
【００４２】
【図１】本発明の閉止デバイスの分解斜視図である。
【図２】容器のネックの回りに示される図１のデバイスの長手方向の部分を示す図である。図の左半分は、組み立てられた状態であるが、まだネックの回りに設置されていない状態のデバイスを示している。一方、図の右半分は、組み立てられ、ネックの回りにそれを閉じるために配置された状態のデバイスを示している。
【図１】
2008540271.tif 000003
【図２】
2008540271.tif 000004
【手続補正書】
【提出日】平成20年6月19日(2008.6.19)
【手続補正１】
【補正対象書類名】特許請求の範囲
【補正対象項目名】請求項７
【補正方法】変更
【補正の内容】
【請求項７】
請求項１から６のいずれか一項に記載の閉止デバイス（１）によって閉じられたネック（２）を含む容器（３）。
【国際調査報告】
2008540271.tif 000005
2008540271.tif 000006
2008540271.tif 000007
2008540271.tif 000008